(57)【要約】【課題】ピックアップの移動軌跡と、ディスク駆動手段の回転中心とのずれを調整するにあたって、ディスクの取り付け位置変化を低減すること。【解決手段】このディスク装置１は、ピックアップ２が主軸３と副軸４とに支持されて、ディスクの径方向（矢印Ｓ方向）へ移動する。主軸３と副軸４とは、枠体１８に固定される。また、ディスクは、枠体１８に固定される電気モータ８により回転させられる。主軸３の第１の支持端部３ｔ1には、接線方向主軸位置調整機構２０が取り付けられる。接線方向主軸位置調整機構２０は、ピックアップ２の移動軌跡を、ディスクの接線方向に向かって変更可能であり、これによって、電気モータ８の回転中心Ｚｒと、ピックアップ２の移動軌跡とのずれを修正できる。【選択図】        図１
2006236401.tif 000002
【特許請求の範囲】
【請求項１】
ディスクを回転させるディスク駆動手段と、
ディスク走査手段と、
第１の支持端部と第２の支持端部とが取り付け対象に取り付けられ、かつ前記ディスク走査手段を移動可能に支持するディスク走査手段支持体と、
前記第１の支持端部、又は前記第２の支持端部のうち少なくとも一方に、前記ディスク走査手段の移動軌跡を、前記ディスクの接線方向に向かって変更できる接線方向位置修正手段と、
を含むことを特徴とするディスク装置。
【請求項２】
前記接線方向位置修正手段は、前記第１の支持端部、又は前記第２の支持端部うち、いずれか一方に設けられることを特徴とする請求項１に記載のディスク装置。
【請求項３】
前記第１の支持端部、又は前記第２の支持端部のうちいずれか一方には、前記ディスク走査手段の移動軌跡を、前記ディスクの接線方向に向かって変更できる接線方向位置修正手段を設け、
他方には、前記ディスク走査手段の移動軌跡を、前記ディスクに対する焦点方向に変更できる焦点方向位置修正手段を設けることを特徴とする請求項１に記載のディスク装置。
【請求項４】
前記ディスク走査手段支持体は、前記ディスク走査手段の移動方向に垂直な断面形状が円形であり、
前記接線方向位置修正手段又は前記焦点方向位置修正手段のうち少なくとも一方は、一端部にテーパー部が形成され、かつ前記テーパー部を前記ディスク走査手段支持体の外周部に当接させ、前記テーパー部の当接位置が変化することにより、前記ディスク走査手段支持体を移動させる調整部材を含むことを特徴とする請求項１〜３のいずれか１項に記載のディスク装置。
【請求項５】
前記接線方向位置修正手段又は前記焦点方向位置修正手段によって前記ディスク走査手段の移動軌跡が移動した方向に、前記ディスク走査手段を移動させるための走査手段移動手段を移動させる移動手段位置調整手段を備えることを特徴とする請求項１〜４のいずれか１項に記載のディスク装置。
【請求項６】
前記走査手段移動手段は、円筒の外周部にねじ溝が形成され、かつ前記ディスク走査手段の移動方向と略平行に配置されるとともに、前記ディスク走査手段の一部と前記ねじ溝とを係合させて回転することにより、前記ディスク走査手段を移動させることを特徴とする請求項５に記載のディスク装置。
【発明の詳細な説明】
【技術分野】
【０００１】
本発明は、ディスク装置に関する。
【背景技術】
【０００２】
光ディスク等の再生や光ディスク等に記録・再生するためのディスク装置は、近年における画像や音声の記録／再生装置やコンピュータ等の普及によって、広く用いられるようになってきている。例えば、特許文献１には、一対のガイドシャフトに架橋する状態で保持された移動保持部に、光ディスクに記録された情報を再生するピックアップが搭載されるディスク装置が開示されている。そして、前記移動保持部が前記ガイドシャフトに沿って光ディスクの径方向へ移動する過程で、前記再生手段が光ディスクに記録された情報を読み取り、再生する。
【０００３】
【特許文献１】特開２００３−１０００６９号公報
【発明の開示】
【発明が解決しようとする課題】
【０００４】
ところで、情報読み取り等の精度を向上させるため、ピックアップの移動軌跡は、ディスク駆動手段（例えばモータ）の回転中心を通る必要がある。しかし、ディスク装置の構成部品のばらつきや組立時におけるばらつきによって、ピックアップの移動軌跡と、ディスク駆動手段の回転中心とにずれが生ずることがある（芯ずれという）。このため、ディスク装置を組み立てた後に前記芯ずれが発生している場合には、ピックアップの移動軌跡がディスク駆動手段の回転軸を通るように調整する。従来のディスク装置では、ディスク駆動手段の取り付け位置を変更することにより、前記調整を行っている。
【０００５】
しかし、このような方法では、駆動手段の取り付け位置を変更する結果、ディスクの取り付け位置も変化する。このため、ディスクと筺体や枠体等とのクリアランスや、ディスクのローディング精度に影響を与えることもある。そこで、本発明は、上述した課題をその一例として解決するものであって、ピックアップの移動軌跡と、ディスク駆動手段の回転中心とのずれを調整するにあたって、ディスクの取り付け位置変化を低減できるディスク装置を提供することを目的とする。
【課題を解決するための手段】
【０００６】
請求項１に記載の発明は、ディスクを回転させるディスク駆動手段と、ディスク走査手段と、第１の支持端部と第２の支持端部とが取り付け対象に取り付けられ、かつ前記ディスク走査手段を移動可能に支持するディスク走査手段支持体と、前記第１の支持端部、又は前記第２の支持端部のうち少なくとも一方に、前記ディスク走査手段の移動軌跡を、前記ディスクの接線方向に向かって変更できる接線方向位置修正手段と、を含むことを特徴とする。
【発明を実施するための最良の形態】
【０００７】
以下、この発明につき、図面を参照しつつ詳細に説明する。なお、この発明を実施するための最良の形態によりこの発明が限定されるものではない。また、以下に説明する実施の形態における構成要素には、当業者が容易に想定できるもの、あるいは実質的に同一のものが含まれる。また、本発明は、光ディスク、光磁気ディスクその他のディスクに情報を再生し、あるいは情報を記録するディスク装置全般に対して適用でき、ディスクの種類は問わない。
【０００８】
（実施の形態１）
実施の形態１に係るディスク装置は、ディスク走査手段を支持する主軸の第１の支持端部、又は第２の支持端部のうち少なくとも一方に、前記ディスク走査手段の移動軌跡を、ディスクの接線方向に向かって変更できる接線方向位置修正手段を備える点に特徴がある。ここで、ディスク走査手段の移動軌跡と、ディスク駆動手段の回転中心とのずれを芯ずれという。ディスク走査手段が、前記ディスクに記録された情報の読み取り、又はディスクへの情報の記録のうち少なくとも一方を実行するにあたって、読み取り又は記録の精度を向上させるためには、ディスク走査手段の移動軌跡上に、ディスク駆動手段の回転中心があることが必要である。
【０００９】
図１は、実施の形態１に係るディスク装置を示す平面である。図１は、ディスク取り付け側とは反対側からディスク装置を見た状態を示している。図２は、実施の形態１に係るディスク装置が備えるピックアップ部を示す平面図である。このディスク装置１は、ディスクであるＣＤ（Compact Disc）やＤＶＤ（Digital Versatile Disc）等の光ディスク（以下ディスク）に記録された情報を再生する。なお、このディスク装置１は、少なくともディスクに記録された情報を再生できればよく、ディスクへ情報を記録する機能をさらに備えていてもよい。
【００１０】
ディスク装置１は、通常筺体の内部に格納される。ディスク装置１は、ディスクを回転させるディスク駆動手段や、ディスクをその径方向に走査する過程でディスクに記録された情報の読み出し等を実行するディスク走査手段等を備えている。ディスク装置１は、枠体１８にディスク駆動手段、ディスク走査手段、ディスク走査手段支持体、ディスク走査手段駆動手段等の機器が取り付けられる。
【００１１】
ディスク駆動手段である電気モータ８は枠体１８に取り付けられており、ディスクを回転させる。ディスクの回転中に、ディスク走査手段であるピックアップ２はディスクの径方向（図１中の矢印Ｓ方向）へ走査する過程で、ディスクに記録された情報を読み取る。また、ディスク装置１が、ディスクへ情報を記録する機能を備えている場合には、ディスク走査手段であるピックアップ２がディスクの径方向に走査しながらディスクへ情報を記録する。このように、ディスク走査手段は、ディスクに記録された情報の読み取り、又はディスクへの情報の記録のうち少なくとも一方を実行する。
【００１２】
図２に示すように、ピックアップ２は、ディスクに記録された情報を読み取るための光学系や、光源、光読み取り手段その他の機器をピックアップベース１７に備える。前記光学系を構成する立ち上げミラー１２、ハーフミラー１３、反射ミラー１４は、例えば、ピックアップベース１７に接着剤で固定される。また、立ち上げミラー１２と対向する位置には対物レンズ１５が設けられている。レーザーダイオード等の光源から照射された読み取り光は、反射ミラー１４、ハーフミラー１３、立ち上げミラー１２を通って対物レンズ１５へ導かれて、ディスクの記録面に照射される。読み取り光は、ディスクの記録面で反射され、対物レンズ１５、立ち上げミラー１２、ハーフミラー１３、反射ミラー１４を通って光読み取り手段（例えば受光素子）に導かれる。
【００１３】
ピックアップ２は、ディスク走査手段支持体である主軸３、副軸４によって、これらに対して摺動可能に支持される。主軸３、副軸４は、機器類支持手段である枠体１８に取り付けられている。ここで、主軸３は、ピックアップ２の走査方向と傾きとを規制する軸である。また、主軸３は、ピックアップ２の移動方向に垂直な断面形状が円形である。ピックアップ２には、ディスク走査手段側支持部である第１軸受部１０1及び第２軸受部１０2が形成されており、主軸３がこれらの内部を貫通している。また、ピックアップ２には、副軸４と係合する副軸受部１１が形成されている。このような構成によって、ピックアップ２は、第１軸受部１０1、第２軸受部１０2及び副軸受部１１の３点で主軸３及び副軸４に支持されて、ディスクの径方向外側あるいは内側へ移動する。
【００１４】
第１軸受部１０1、第２軸受部１０2は、主軸３に嵌合して摺動する。このため、第１軸受部１０1及び第２軸受部１０2の内部へそれぞれジャーナル軸受１６1、１６2を備えて、主軸３との摩擦を低減する。ピックアップ２は、送りモータ６によってディスクの径方向へ移動する。送りモータ６の出力軸には送りねじ５が取り付けられており、ピックアップ２に設けられる爪７が前記送りねじ５の外周に形成されるねじ溝と系合する。このように、送りモータ６と送りねじ５とでディスク走査手段駆動手段が構成され、これによって、ピックアップ２をディスクの径方向へ移動する。
【００１５】
ピックアップ２を支持する主軸３及び副軸４は、枠体１８に固定支持される。主軸３の第１の支持端部３ｔ1は、接線方向位置修正手段である接線方向主軸位置調整機構２０を介して枠体１８に取り付けられる。一方、主軸３の第２の支持端部３ｔ2は、固定ねじ９によって枠体１８に固定されている。主軸３には油等の潤滑剤が塗布されており、第１軸受部１０1及び第２軸受部１０2の内部へ設けられるジャーナル軸受１６1、１６2との摩擦を低減する。ここで、ディスク走査手段であるピックアップ２の移動方向について説明する。
【００１６】
図３（ａ）、図３（ｂ）は、ディスク走査手段の移動方向を説明する概略図である。ピックアップ２は、ディスク１００の径方向（図３（ａ）、図３（ｂ）中の矢印Ｓ方向）に移動する。芯ずれが存在しない場合、ピックアップ２が移動した軌跡（移動軌跡）Ｌｍは、ディスクの回転中心Ｚｄ（すなわちディスク駆動手段である電気モータ８の回転中心Ｚｒ）を通る。ここで、図３（ａ）の矢印Ｘ方向が、ディスク１００の外周部における接線方向となる。なお、ディスクの接線方向というときには、これと平行な方向も含む。また、ディスク１００の盤面に垂直な方向を、ディスクの焦点方向という。ピックアップ２が備える対物レンズ１５の焦点距離は、ディスクの焦点方向で調整される。なお、ディスクの焦点方向というときには、ディスク１００の盤面に垂直な方向のみならず、ディスク１００の盤面に垂直な方向と近似する方向も含む。次に、接線方向位置修正手段である接線方向主軸位置調整機構２０について説明する。
【００１７】
図４、図５は、実施の形態１に係る主軸位置調整機構の構成を示す説明図である。図４、図５に示すように、接線方向位置修正手段である接線方向主軸位置調整機構２０は、枠体１８に取り付けられる。そして、接線方向主軸位置調整機構２０は、本体２１に設けられる断面コの字形状の主軸支持部２１Ｓ内で、主軸３を支持する。
【００１８】
主軸３と本体２１との間には、弾性部材であるばね２３が設けられており、このばね２３が、主軸支持部２１Ｓの開口部２１Ｓｈに向かう押圧力を主軸３に付勢する。また、本体２１には、先端部がテーパー状に形成された位置調整ねじ２２がねじ込まれている。ねじ２２の先端部に形成されたテーパー部２２ｔは、主軸支持部２１Ｓ内に突出して主軸３の側周部に当接し、主軸３が主軸支持部２１Ｓから脱落することを防止する。
【００１９】
位置調整ねじ２２は、図４に示す矢印Ｒ方向に回転する。これによって、位置調整ねじ２２の先端部に形成されたテーパー部２２ｔが、主軸支持部２１Ｓ内へ突出する量を変化させることができる。図４に示すように、主軸３の側周部と当接する位置調整ねじ２２の先端部はテーパー状に形成されているため、主軸支持部２１Ｓ内へ突出するテーパー部２２ｔの量が多くなると、主軸３は、ばね２３側に押し付けられる。また、主軸支持部２１Ｓ内へ突出するテーパー部２２ｔの量が少なくなると、主軸３は、ばね２３の押圧力によって開口部２１Ｓｈ側に移動する。
【００２０】
すなわち、位置調整ねじ２２を回転させて図４中の矢印Ａ方向に動かし、主軸支持部２１Ｓ内へ突出するテーパー部２２ｔの量を変化させることによって、主軸３を、図４中の矢印Ｂ方向へ動かすことができる。これによって、主軸３を、ディスクの接線方向（図４のＸ軸と平行な方向）へ移動させることができる。
【００２１】
いま、第１の支持端部３ｔ1側に設けられる接線方向主軸位置調整機構２０の位置調整ねじ２２を回転させることにより、主軸３の第１の支持端部３ｔ1を、ディスクの接線方向に移動したとする。主軸３の第２の支持端部３ｔ2は、ねじ９で枠体１８に固定されているので（図５）、主軸３は、ねじ９を中心Ｏとして回動する。これによって、ねじ９を中心として主軸３の軸心ｇを移動させることができる。ここで、主軸３の軸心ｇは、ピックアップ２の移動軌跡と平行なので、接線方向主軸位置調整機構２０によって、ピックアップ２の移動軌跡をディスクの接線方向に向かって変更することができる。
【００２２】
例えば、図５に示すように、ディスク駆動手段である電気モータ８の回転中心をＺｒとし、電気モータ８の回転中心Ｚｒを通るピックアップ２の移動軌跡をＬｍ0とする。また、ディスク装置１（図１）を組み立てたときにおけるピックアップ２の移動軌跡をＬｍ1とする。図５に示す例では、ディスク装置１の組み立て後におけるピックアップ２の移動軌跡をＬｍ1は、電気モータ８の回転中心Ｚｒを通らない。すなわち、芯ずれが発生している。
【００２３】
この場合、接線方向主軸位置調整機構２０の位置調整ねじ２２をねじ込んで、主軸支持部２１Ｓ内へ突出するテーパー部２２ｔの量を多くする。これによって、主軸３は、主軸３の第２の支持端部３ｔ2に設けられるねじ９を中心Ｏとして回動し、図５中の矢印Ｃ方向（すなわちディスクの接線方向）に移動する。その結果、ピックアップ２の移動軌跡も図５中の矢印Ｃ方向に移動して、電気モータ８の回転中心Ｚｒを通る移動軌跡Ｌｍ0と一致する。
【００２４】
このように、実施の形態１では、ディスクの接線方向へ主軸３を移動させることにより、ピックアップ２の移動軌跡をディスクの接線方向へ移動させて、芯ずれを調整する。これによって、電気モータ８の取り付け位置を変更する必要はないので、ディスクの取り付け位置の変化を最小限に抑えることができる。その結果、芯ずれ調整に起因する、ディスクと筺体や枠体等とのクリアランス変化や、ディスクのローディング精度の低下等を最小限に抑えることができる。また、芯ずれの調整にあたり、ディスク駆動手段である電気モータ８自体は可動部とならないので、駆動対象であるディスクのバランスが完全でないこと等による振動の影響を低減できる。さらに、主軸３の第１の支持端部３ｔ1又は第２の支持端部３ｔ2のいずれか１点で芯ずれを修正できるので、他の支持端部には、例えば焦点方向の位置調整手段を設けることもできる。これについては、実施の形態２で説明する。
【００２５】
以上、実施の形態１に係るディスク装置は、ディスク駆動手段であるモータと、ディスク走査手段であるピックアップと、第１の支持端部と第２の支持端部とが取り付け対象である枠体に取り付けられて、前記ピックアップを移動可能に支持するディスク走査手段支持体である主軸と、前記第１の支持端部、又は前記第２の支持端部のうち少なくとも一方に、前記ピックアップの移動軌跡を、前記ディスクの接線方向に向かって変更できる接線方向位置修正手段である主軸位置調整機構と、を含む。これによって、ディスクの取り付け位置の変化を最小限に抑えることができる。ここで、実施の形態１の構成と同様の構成を備えるものは、実施の形態１と同様の作用、効果を発揮する。また、実施の形態１の構成は、以下の実施の形態においても適宜適用することができる。
【００２６】
（実施の形態２）
実施の形態２に係るディスク装置は、実施の形態１に係るディスク装置と略同様の構成であるが、一方の支持端部でディスク走査手段の移動軌跡をディスクの接線方向に移動させ、もう一方の支持端部でディスク走査手段の移動軌跡を焦点方向に移動させる点が異なる。他の構成は実施の形態１と同様なのでその説明を省略するとともに、同一の構成に対しては同一の符号を付す。
【００２７】
図６は、実施の形態２に係るディスク装置が備える主軸周りの構造を示す説明図である。図７は、図６の矢印Ｄ１方向から見た状態を示す説明図である。図８は、図６の矢印Ｄ２方向から見た状態を示す説明図である。図６に示すように、実施の形態２においては、主軸３の第１の支持端部３ｔ1に、接線方向位置修正手段である接線方向主軸位置調整機構２０が備えられる。また、主軸３の第２の支持端部３ｔ2に、焦点方向位置修正手段である焦点方向主軸位置調整機構３０が備えられる。接線方向主軸位置調整機構２０及び焦点方向主軸位置調整機構３０は、いずれも枠体１８に取り付けられる。
【００２８】
図７に示すように、焦点方向主軸位置調整機構３０は、本体３１に設けられる断面コの字形状の主軸支持部３１Ｓ内に、主軸３が支持される。主軸３と本体３１との間には、弾性部材であるばね３３が設けられており、このばね３３が、主軸支持部３１Ｓの開口部３１Ｓｈに向かう押圧力を主軸３に付勢する。また、本体３１には、先端部がテーパー状に形成された位置調整ねじ３２がねじ込まれている。ねじ３２の先端部に形成されたテーパー部３２ｔは、主軸支持部３１Ｓ内に突出して主軸３の側周部に当接し、主軸３が主軸支持部３１Ｓから脱落することを防止する。
【００２９】
位置調整ねじ３２は先端部にテーパー部３２ｔが形成されている。そして、位置調整ねじの本体３１に対するねじ込み量を調整することにより、主軸支持部２１Ｓ内へ突出するテーパー部３２ｔの量を変化させることができる。主軸３の側周部と当接する位置調整ねじ３２の先端部はテーパー状に形成されているため、主軸支持部３１Ｓ内へ突出するテーパー部３２ｔの量が多くなると、主軸３は、ばね３３側に押し付けられる。また、主軸支持部３１Ｓ内へ突出するテーパー部３２ｔの量が少なくなると、主軸３は、ばね３３の押圧力によって開口部３１Ｓｈ側に移動する。
【００３０】
すなわち、位置調整ねじ３２を回転させて図７中の矢印Ｅ方向に動かし、主軸支持部３１Ｓ内へ突出するテーパー部３２ｔの量を変化させることによって、主軸３を、図７中の矢印Ｆ方向へ動かすことができる。これによって、主軸３を、ディスクの焦点方向（図７のＺ軸と平行な方向）へ移動させることができる。なお、接線方向主軸位置調整機構２０については実施の形態１で説明したと同様であるので、その説明を省略する。
【００３１】
いま、第２の支持端部３ｔ2側に設けられる焦点方向主軸位置調整機構３０の位置調整ねじ３２を回転させることにより、主軸３の第２の支持端部３ｔ2を、ディスクの焦点方向に移動したとする。主軸３の第１の支持端部３ｔ1は、接線方向主軸位置調整機構２０を介して枠体１８に固定されているので（図６）、主軸３は、接線方向主軸位置調整機構２０を中心として回動する。これによって、主軸３の軸心ｇを、接線方向主軸位置調整機構２０を中心として移動させることができる。ここで、主軸３の軸心ｇは、ピックアップ２の移動軌跡と平行なので、焦点方向主軸位置調整機構３０によって、ピックアップ２の移動軌跡は、ディスクの焦点方向（図７中矢印Ｆ）に向かって変更することができる（図７、図８）。
【００３２】
なお、焦点方向主軸位置調整機構３０の位置調整ねじ３２を回転させた場合、ピックアップ２は、接線方向主軸位置調整機構２０を中心として円弧状に回動する。かかる場合、ピックアップ２は、厳密にはディスク１００の盤面に垂直な方向に移動する訳ではない。しかし、焦点方向主軸位置調整機構３０の位置調整ねじ３２を回転させた場合においてピックアップ２は略直線状に移動するので、かかる場合のピックアップ２の移動方向は、近似的にディスク１００の盤面に垂直な方向であるとみなしてよい。
【００３３】
これによって、ピックアップ２の移動軌跡がディスク１００の盤面に対して傾斜している場合、すなわち、ピックアップ２の移動軌跡がディスクの焦点方向に対してずれている場合には、焦点方向主軸位置調整機構３０によってこれを修正することができる。また、芯ずれは、第１の支持端部３ｔ1に設けた接線方向主軸位置調整機構２０によって、主軸３をディスクの接戦方向（図８のＺ軸方向）に移動させることで、調整することができる。
【００３４】
このように、実施の形態２では、主軸３の一方の支持端部で、ピックアップ２の移動軌跡をディスクの接線方向に移動させ、もう一方の支持端部で、ピックアップ２の移動軌跡をディスクの焦点方向に移動させる。これによって、芯ずれの調整のみならず、ピックアップ２の移動軌跡の焦点方向におけるずれも修正できる。また、かかる調整においては、電気モータ８の取り付け位置を変更する必要はないので、ディスクの取り付け位置の変化を最小限に抑えることができる。その結果、芯ずれや焦点方向のずれ調整に起因する、ディスクと筺体や枠体等とのクリアランス変化や、ディスクのローディング精度の低下等を最小限に抑えることができる。また、芯ずれや焦点方向のずれの調整にあたり、ディスク駆動手段である電気モータ８自体は可動部とならないので、駆動対象であるディスクのバランスが完全でないこと等による振動の影響を低減できる。
【００３５】
以上、実施の形態２に係るディスク装置は、ディスク走査手段支持体である主軸の第１の支持端部、又は前記第２の支持端部のうちいずれか一方には、ディスク走査手段であるピックアップの移動軌跡を、ディスクの接線方向に向かって変更できる接線方向位置修正手段である主軸位置調整機構を設ける。そして、他方の支持端部には、ピックアップの移動軌跡を、ディスクに対する焦点方向に変更できる焦点方向位置修正手段である焦点方向主軸位置調整機構を設ける。これによって、ディスクの取り付け位置の変化を最小限に抑えることができるとともに、芯ずれの調整のみならず、ピックアップの移動軌跡の焦点方向におけるずれも修正できる。ここで、実施の形態２の構成と同様の構成を備えるものは、実施の形態２と同様の作用、効果を発揮する。また、実施の形態２の構成は、以下の実施の形態においても適宜適用することができる。
【００３６】
（実施の形態３）
実施の形態１の変形例は、実施の形態１、２と略同様の構成であるが、ディスク走査手段移動手段を、ディスク走査手段の移動軌跡が移動した方向に移動させる移動手段位置調整手段を備える点が異なる。図９は、実施の形態３に係るディスク装置が備える主軸周りの構造を示す説明図である。図１０は、図９の矢印Ｇ１方向から見た状態を示す説明図である。図１１は、図６の矢印Ｇ２方向から見た状態を示す説明図である。
【００３７】
図９に示すように、走査手段駆動手段は、送りねじ５と送りモータ６とで構成される。送りねじ５の開放端部（モータ６に取り付けられる端部とは反対側）は、送りねじ軸受５Ｂを介して、接線方向位置調整手段４０に支持される。また、モータ６は、送りねじ５が取り付けられる側の反対側に、モータ支持部材６Ｓが設けられている。そして、モータ支持部材６Ｓは、焦点方向位置調整手段５０に支持される。
【００３８】
図１０に示すように、接線方向位置調整手段４０は、本体４１に設けられる断面コの字形状の送りねじ支持部４１Ｓ内に、送りねじ軸受５Ｂを介して送りねじ５が支持される。送りねじ軸受５Ｂと本体４１との間には、弾性部材であるばね４３が設けられており、このばね４３が、送りねじ支持部４１Ｓの開口部４１Ｓｈに向かう押圧力を送りねじ軸受５Ｂに付勢する。また、本体４１には、先端部がテーパー状に形成された位置調整ねじ４２がねじ込まれている。位置調整ねじ４２の先端部に形成されたテーパー部４２ｔは、送りねじ支持部４１Ｓ内に突出して送りねじ軸受５Ｂの側周部に当接し、送りねじ５及び送りねじ軸受５Ｂが送りねじ支持部４１Ｓから脱落することを防止する。
【００３９】
位置調整ねじ４２はテーパー部４２ｔが形成されており、送りねじ支持部４１Ｓ内へ突出するテーパー部４２ｔの量を変化させることができる。送りねじ軸受５Ｂの側周部と当接する位置調整ねじ４２の先端部はテーパー状に形成されているため、送りねじ支持部４１Ｓ内へ突出するテーパー部４２ｔの量が多くなると、送りねじ軸受５Ｂは、ばね４３側に押し付けられる。また、送りねじ支持部４１Ｓ内へ突出するテーパー部４２ｔの量が少なくなると、送りねじ軸受５Ｂは、ばね４３の押圧力によって開口部４１Ｓｈ側に移動する。
【００４０】
すなわち、位置調整ねじ４２を回転させて図１０中の矢印Ｈ方向に動かし、送りねじ支持部４１Ｓ内へ突出するテーパー部４２ｔの量を変化させることによって、送りねじ５を、図４中の矢印Ｂ方向へ動かすことができる。これによって、送りねじ５を、ディスクの接線方向（図１０のＸ軸と平行な方向）へ移動させることができる。
【００４１】
図１１に示すように、焦点方向位置調整手段５０は、本体５１に設けられる断面コの字形状の送りモータ支持部５１Ｓ内に、送りモータ支持部材６Ｓが支持される。送りモータ支持部材６Ｓと本体５１との間には、弾性部材であるばね５３が設けられており、このばね５３が、送りモータ支持部５１Ｓの開口部５１Ｓｈに向かう押圧力を送りモータ支持部材６Ｓに付勢する。また、本体５１には、先端部がテーパー状に形成された位置調整ねじ５２がねじ込まれている。ねじ５２の先端部に形成されたテーパー部５２ｔは、送りモータ支持部５１Ｓ内に突出して送りモータ支持部材６Ｓの側周部に当接し、送りモータ支持部材６Ｓが送りモータ支持部５１Ｓから脱落することを防止する。
【００４２】
位置調整ねじ５２は先端部にテーパー部５２ｔが形成されている。そして、位置調整ねじの本体５１に対するねじ込み量を調整することにより、送りモータ支持部５１Ｓ内へ突出するテーパー部５２ｔの量を変化させることができる。送りモータ支持部材６Ｓの側周部と当接する位置調整ねじ５２の先端部はテーパー状に形成されているため、送りモータ支持部５１Ｓ内へ突出するテーパー部５２ｔの量が多くなると、送りモータ支持部材６Ｓは、ばね５３側に押し付けられる。また、送りモータ支持部５１Ｓ内へ突出するテーパー部５２ｔの量が少なくなると、送りモータ支持部材６Ｓは、ばね５３の押圧力によって開口部５１Ｓｈ側に移動する。
【００４３】
すなわち、位置調整ねじ５２を回転させて図１１中の矢印Ｊ方向に動かし、送りモータ支持部５１Ｓ内へ突出するテーパー部５２ｔの量を変化させることによって、送りモータ支持部材６Ｓを、図７中の矢印Ｆ方向へ動かすことができる。これによって、送りモータ支持部材６Ｓ、送りモータ６及び送りモータに取り付けられる送りねじ５を、ディスクの焦点方向（図１０のＺ軸と平行な方向）へ移動させることができる。
【００４４】
実施の形態１、２では、主軸３を移動させて、ピックアップの移動軌跡を変更するのみだったので、送りねじ５とピックアップ２に設けられる爪７との係合がずれてしまい、爪７が送りねじ５から外れたり、両者の係合がきつくなったりするおそれがあった。その結果、ピックアップ２が確実に移動できないおそれがあった。しかし、実施の形態３では、接線方向位置調整手段４０、焦点方向位置調整手段５０によって走査手段駆動手段の接線方向位置や焦点方向位置を調整できる。これによって、ピックアップ２の移動軌跡が移動した方向に、走査手段駆動手段を移動させることができるので、爪７と送りねじ５とのずれを抑制して、確実にピックアップ２を移動させることができる。
【００４５】
以上、実施の形態３では、接線方向位置修正手段である主軸位置調整機構、又は焦点方向位置修正手段である焦点方向主軸位置調整機構によって、ディスク走査手段であるピックアップの移動軌跡が移動した方向に、ピックアップを移動させるための走査手段移動手段（送りねじ５と送りモータ６）を移動させる移動手段位置調整手段（接線方向位置調整手段、焦点方向位置調整手段）を備える。これによって、ピックアップと送りねじとのずれを抑制して、確実にピックアップを移動させることができる。
【図面の簡単な説明】
【００４６】
【図１】実施の形態１に係るディスク装置を示す平面である。
【図２】実施の形態１に係るディスク装置が備えるピックアップ部を示す平面図である。
【図３（ａ）】ディスク走査手段の移動方向を説明する概略図である。
【図３（ｂ）】ディスク走査手段の移動方向を説明する概略図である。
【図４】実施の形態１に係る主軸位置調整機構の構成を示す説明図である。
【図５】実施の形態１に係る主軸位置調整機構の構成を示す説明図である。
【図６】実施の形態２に係るディスク装置が備える主軸周りの構造を示す説明図である。
【図７】図６の矢印Ｄ１方向から見た状態を示す説明図である。
【図８】図６の矢印Ｄ２方向から見た状態を示す説明図である。
【図９】実施の形態３に係るディスク装置が備える主軸周りの構造を示す説明図である。
【図１０】図９の矢印Ｇ１方向から見た状態を示す説明図である。
【図１１】図６の矢印Ｇ２方向から見た状態を示す説明図である。
【符号の説明】
【００４７】
１  ディスク装置
２  ピックアップ
３  主軸
３ｔ1  第１の支持端部
３ｔ2  第２の支持端部
４  副軸
５  送りねじ
６  送りモータ
８  電気モータ
２０  接線方向主軸位置調整機構
３０  焦点方向主軸位置調整機構
４０  接線方向位置調整手段
５０  焦点方向位置調整手段
１００  ディスク
【図１】
2006236401.tif 000003
【図２】
2006236401.tif 000004
【図３（ａ）】
2006236401.tif 000005
【図３（ｂ）】
2006236401.tif 000006
【図４】
2006236401.tif 000007
【図５】
2006236401.tif 000008
【図６】
2006236401.tif 000009
【図７】
2006236401.tif 000010
【図８】
2006236401.tif 000011
【図９】
2006236401.tif 000012
【図１０】
2006236401.tif 000013
【図１１】
2006236401.tif 000014